(57)【要約】      （修正有）【課題】ブレードの使用可能な長さ、単一のストロークによってカットされる髪の数、前部における使用可能な空間などを増加させることができるトリミング用ブレードシステムを提供する。【解決手段】トリミング用ブレードシステム１４及び剃刀は、剃刀の柄と、トリミング用ブレードシステム１４と、を備える。トリミング用ブレードヘッド１４は、前部を有するとともに、支持プレート２２、ブレード１６、及びカバープレート２４を備え、ブレード１６はトリミング用ブレードシステム１４の前部に向かって前方に面する刃先１６Ａを有し、トリミング用ブレードシステム１４は、トリミング用ブレードシステム１４の前部に向かって前方に突出する歯部２０を設けられた櫛１８を有するとともに、刃先１６Ａに重なり、歯部２０は、上面２０Ａ、２つの側面２０Ｃ、及び下面を有する。【選択図】図３Ａ
2019171112.tif 000002
【特許請求の範囲】
【請求項１】
前部（１４Ａ）を有するとともに、支持プレート（２２）、ブレード（１６）、及びカバープレート（２４）を備えるトリミング用ブレードシステムであって、前記ブレード（１６）は、前記トリミング用ブレードシステム（１４）の前記前部（１４Ａ）に向かって前方に面する刃先（１６Ａ）を有し、前記トリミング用ブレードシステムは、歯部（２０）を設けられた櫛（１８）を有し、前記歯部（２０）は前記トリミング用ブレードシステム（１４）の前記前部（１４Ａ）に向かって前方に突出し、かつ前記刃先（１６Ａ）に重なり、前記歯部（２０）のそれぞれは上面（２０Ａ）、２つの側面（２０Ｂ、２０Ｃ）、及び下面（２０Ｄ）を有するトリミング用ブレードシステムにおいて、
前記歯部（２０）のそれぞれの前記下面（２０Ｄ）は、対向する面取りされた面（２０Ｅ、２０Ｆ）によって、前記側面（２０Ｂ、２０Ｃ）につながることを特徴とする、トリミング用ブレードシステム。
【請求項２】
前部（１４Ａ）を有するとともに、支持プレート（２２）、ブレード（１６）、及びカバープレート（２４）を備えるトリミング用ブレードシステムであって、前記ブレード（１６）は、前記トリミング用ブレードシステム（１４）の前記前部（１４Ａ）に向かって前方に面する刃先（１６Ａ）を有し、前記トリミング用ブレードシステムは、歯部（２０）を設けられた櫛（１８）を有し、前記歯部（２０）は前記トリミング用ブレードシステム（１４）の前記前部（１４Ａ）に向かって前方に突出し、かつ前記刃先（１６Ａ）に重なる、トリミング用ブレードシステムにおいて、
前記歯部（２０）のそれぞれは、前記刃先（１６Ａ）がそれに対して配置される後方に方向づけられた肩部（２８）を形成するように階段状とされ、前記肩部（２８）のそれぞれには、肩部面取り部（２８Ｂ）が設けられることを特徴とする、トリミング用ブレードシステム。
【請求項３】
前記歯部（２０）は、前記刃先（１６Ａ）がそれに対して配置される後方に方向づけられた肩部（２８）を形成するように階段状とされていることを特徴とする請求項１に記載のトリミング用ブレードシステム。
【請求項４】
前記肩部（２８）のそれぞれには、肩部面取り部（２８Ｂ）が設けられていることを特徴とする請求項３に記載のトリミング用ブレードシステム。
【請求項５】
前記歯部（２０）のそれぞれは、前記肩部（２８）に向かって先細とされていることを特徴とする請求項２〜４のいずれか一項に記載のトリミング用ブレードシステム。
【請求項６】
前記歯部（２０）のそれぞれは、前記トリミング用ブレードシステム（１４）の前記前部（１４Ａ）に向かって前方に延在する肘部（３０）を画定することを特徴とする請求項１〜５のいずれか一項に記載のトリミング用ブレードシステム
【請求項７】
前記歯部（２０）のそれぞれの前記下面（２０Ｄ）は平坦であり、前記歯部（２０）のそれぞれの前記下面（２０Ｄ）は前記ブレード（１６）に部分的に隣接していることを特徴とする請求項１〜６のいずれか一項に記載のトリミング用ブレードシステム。
【請求項８】
前記歯部（２０）のそれぞれの前記側面（２０Ｂ、２０Ｃ）は、たがいに平行に延びることを特徴とする請求項１〜７のいずれか一項に記載のトリミング用ブレードシステム。
【請求項９】
前記刃先（１６Ａ）は細長であるとともに長手方向軸（Ｘ−Ｘ）を画定し、
前記歯部（２０）のそれぞれの前記側面（２０Ｂ、２０Ｃ）は互いに平行に延びるとともに、前記長手方向軸（Ｘ−Ｘ）に対して横方向に延びることを特徴とする請求項１〜８のいずれか一項に記載のトリミング用ブレードシステム。
【請求項１０】
前記刃先（１６Ａ）は細長であるとともに長手方向軸（Ｘ−Ｘ）を画定し、
前記歯部（２０）のそれぞれの前記側面（２０Ｂ、２０Ｃ）は互いに平行に延びるとともに、前記長手方向軸（Ｘ−Ｘ）に対して垂直に延びることを特徴とする請求項１〜９のいずれか一項に記載のトリミング用ブレードシステム。
【請求項１１】
前記歯部（２０）は、１ｍｍ〜５ｍｍの値を有する間隔（Ｗ２０ＣＢ）によって互いから離間していることを特徴とする請求項１〜１０のいずれか一項に記載のトリミング用ブレードシステム。
【請求項１２】
前記歯部（２０）のそれぞれは、１ｍｍ〜１５ｍｍの値を有する長さ（Ｌ２０）を有することを特徴とする請求項１〜１１のいずれか一項に記載のトリミング用ブレードシステム。
【請求項１３】
前記歯部（２０）のそれぞれは、１ｍｍ〜４ｍｍの値を有する幅（Ｗ２０ＢＣ）を有することを特徴とする請求項１〜１２のいずれか一項に記載のトリミング用ブレードシステム。
【請求項１４】
前記歯部（２０）の数は、１０〜２０であることを特徴とする請求項１〜１３のいずれか一項に記載のトリミング用ブレードシステム。
【請求項１５】
前記ブレード（１６）と、前記支持プレート（２２）と、の間に挟まれたスペーサ（２６）をさらに備えることを特徴とする請求項１〜１４のいずれか一項に記載のトリミング用ブレードシステム。
【請求項１６】
前記櫛（１８）は、前記カバープレート（２４）上に設けられることを特徴とする請求項１〜１５のいずれか一項に記載のトリミング用ブレードシステム。
【請求項１７】
前記櫛（１８）は、前記支持プレート（２２）上に設けられるとともに、Ｘに沿って交差する方向へ前記刃先（１６Ａ）よりも遠くまで延び、前記ブレードは前記カバープレート（２４）によって覆われることを特徴とする請求項１〜１５のいずれか一項に記載のトリミング用ブレードシステム。
【請求項１８】
前記歯部（２０）の前記上面（２０Ａ）がトリミング平面（Ｐ２０）を画定し、
前記刃先（１６Ａ）は、前記トリミング平面（Ｐ２０）に平行なブレード平面（Ｐ１６Ａ）内にあることを特徴とする請求項１６及び請求項１〜１７のいずれかに記載のトリミング用ブレードシステム。
【請求項１９】
剃刀の柄（１２）及び請求項１〜１８のいずれか一項に記載のトリミング用ブレードシステム（１４）を備える剃刀であって、
前記トリミング用ブレードシステム（１４）には、前記トリミング用ブレードシステム（１４）を前記剃刀の柄（１２）に接続するための接続手段（３２）が設けられていることを特徴とする剃刀。
【請求項２０】
剃刀の柄（１２）、毛剃りヘッド（１３）、及び請求項１〜１８のいずれか一項に記載のトリミング用ブレードシステム（１４）を備える剃刀であって、
前記毛剃りヘッド（１３）には、前記毛剃りヘッド（１３）を前記剃刀の柄（１２）に接続するための接続手段（３２）が設けられていることを特徴とする剃刀。
【請求項２１】
前記接続手段が軸受胴（３２）を備えることを特徴とする請求項１９又は２０に記載の剃刀。
【発明の詳細な説明】
【技術分野】
【０００１】
本発明は、トリミング用ブレードシステム並びに剃刀の柄及びそのようなトリミング用ブレードシステムを備える剃刀に関する。
【背景技術】
【０００２】
具体的には、本発明は、前部を有し、支持プレート、ブレード、及びカバープレートを備えるトリミング用ブレードシステムに関し、ブレードはヘッド部の前面に向かって前方に面する刃先を有し、トリミング用ブレードシステムは歯部を設けられた櫛を有し、歯部はヘッド部の前面に向かって前方に突出するとともに、前記刃先に重なり、歯部のそれぞれは上面、２つの側面、及び下面を有する。
【０００３】
本発明はさらに、前部を有するとともに、支持プレート、ブレード、及びカバープレートを備えるトリミング用ブレードシステムにも関し、ブレードはトリミング用ブレードシステムの前部に向かって前方に面する刃先を有し、トリミング用ブレードシステムは歯部を設けられた櫛を有し、歯部はトリミング用ブレードシステムの前部に向かって前方に突出するとともに、前記刃先に重なる。
【０００４】
そのようなトリミング用ブレードシステムは、きちんとした毛のトリミング又はグルーミングを可能にする。さらに、毛を整え、毛剃り中に毛を皮膚から立ち上げるために、トリミング用ブレードヘッドには櫛が設けられる。実際に、櫛のおかげで、皮膚のブレードとの直接的接触がなくなる。さらに、櫛は毛の分離を可能にし、より良いトリミングをもたらす。トリミングは、トリマーが、多少毛が残っている見かけを実現するか、又は毛を所定の長さで残し、皮膚に至るまで毛を剃ることがない点で伝統的な毛剃りと異なる。櫛は皮膚と接触することになる唯一の部分であり、毛と接触するようになる最初の部分であり、伝統的な櫛として機能し、毛を分離させ、次いでブレードが続けて毛を望ましい長さにカットする。
【０００５】
一般的に櫛を備える既知のヘッドには伝統的なブレードが設けられ、したがってトリミング用ブレードシステムではない。
【０００６】
さらに、この櫛のために、ブレードの機能する長さが減少される。また、さらにこの櫛のために、櫛の歯部と、ブレードと、の間に隙間が形成され、そこに不必要な毛を捕捉する場合がある。したがって、より多くのストロークに目詰まりが避けられず、全体的な効率の劣化につながる。
【０００７】
したがって、櫛を有する既知のトリミング用ブレードシステムは、良好な状態でのトリミングを可能にすることができない。
【発明の概要】
【発明が解決しようとする課題】
【０００８】
このため、トリミング用ブレードシステムには、良好かつきちんとしたトリミングを可能にする特定の幾何学的形状が設けられる。
【０００９】
本発明の１つの目的はトリミング用ブレードシステムを提供することであり、歯部のそれぞれの下面は、対向する面取りされた面によって側面につながる（ｊｏｉｎｅｄ）。本発明の目的は、ブレードの使用可能な長さ、単一のストロークによってカットされる毛の数、前部における使用可能な空間などを増加させることである。
【００１０】
これは、ブレードの使用可能な長さの増加をもたらす。さらに、面取りされた面は、毛による目詰まりの可能性を減少させる。
【００１１】
本発明のまた別の目的はトリミング用ブレードシステムを提供することであり、歯部は階段状とされて後方に方向づけられた肩部を形成し、この肩部に対して刃の先端が位置し、肩部のそれぞれには肩部面取り部が設けられる。本発明の目的は、ブレードの使用可能な長さ、単一のストロークによってカットされる毛の数、前部における使用可能な空間などを増加させることである。
【００１２】
このことは、ブレードの使用可能な長さの増加をもたらす。さらに、肩部面取り部は毛の目詰まりの可能性を減少させる。
【課題を解決するための手段】
【００１３】
本発明の様々な実施形態において、１つ及び／又は他の以下の特徴を、この肌に接触する部材だけに組み込むか、又は相互の組み合わせとすることができる。
【００１４】
歯部は階段状とされて、後方に方向づけられた肩部を形成し、この肩部に対して刃の先端が位置し、肩部のそれぞれには肩部面取り部が設けられ、さらに歯部のそれぞれは、好ましくはこの肩部に向かってテーパをかけられている。
【００１５】
歯部のそれぞれは、システムの前部に向かって前方に延びる肘部を画定する。
【００１６】
歯部の上面はトリミング平面を画定し、歯の先端はトリミング平面に平行なブレード平面に備えられる。
【００１７】
歯部のそれぞれの下面は平坦であり、歯部のそれぞれの下面は部分的にブレードに隣接している。
【００１８】
歯部のそれぞれの側面は、互いに平行に延びる。
【００１９】
刃の先端は細長く、長手軸を画定し、歯部のそれぞれの側面は互いに対して平行に延びるとともに、前記長手軸に対して横方向に延びる。
【００２０】
刃の先端は細長く、長手軸を画定し、歯部のそれぞれの側面は互いに対して平行に延びるとともに、前記長手軸に対して垂直に延びる。
【００２１】
歯部は、１ｍｍ〜５ｍｍの値を有する間隔によって互いに離間している。
【００２２】
歯部のそれぞれは、１ｍｍ〜１５ｍｍの値を有する長さを有する。より好ましくは、この長さは０．５ｍｍ〜１１ｍｍであり、好ましくは約１０．３ｍｍである。
【００２３】
歯のそれぞれは、１ｍｍ〜４ｍｍの値を有する幅を有する。より好ましくは、この幅は０．８ｍｍ〜４ｍｍの値を有する。歯の数は１０〜２０である。
【００２４】
トリミング用ブレードシステムは、ブレードと支持プレートとの間に挟まれたスペーサをさらに備える。
【００２５】
櫛はカバープレート上に設けられる。
【００２６】
櫛は支持プレート上に設けられる。本発明の別の目的は、剃刀の柄と、そのようなトリミング用ブレードシステムと、を備える剃刀を提供することであり、トリミング用ブレードシステムには、このトリミング用ブレードシステムを剃刀の柄に接続するための接続手段が設けられている。剃刀の柄はトリミング用ブレードシステムに枢動可能に接続することができ、接続手段は、好ましくはトリミング用ブレードシステム上に設けられた軸受胴を備えることができる。さらに、剃刀の柄には、トリミング用ブレードシステムを剃刀の柄から取り外し可能とすることを可能にする固定及び解放（ｌｏｃｋ  ａｎｄ  ｒｅｌｅａｓｅ）機構を設けることができる。
【００２７】
本発明のまた別の目的は、剃刀の柄、毛剃りヘッド、及びそのようなトリミング用ブレードシステムを備える剃刀を提供することであり、毛剃りヘッドには、この毛剃りヘッドを剃刀の柄に接続するための接続手段が設けられている。剃刀の柄は、枢動可能に、又は枢動可能ではなく、毛剃りヘッドに接続することができ、接続が枢動可能である場合には、接続手段は好ましくは毛剃りヘッド上に設けられた軸受胴を備えることができる。さらに、剃刀の柄には、毛剃りヘッドを剃刀の柄から取り外し可能とすることを可能にする固定及び解放機構を設けることができる。
【００２８】
本発明の他の特徴及び利点が、以下の限定するものではないいくつかの実施形態の、添付の図面を参照した記載によって容易に理解されるだろう。
【図面の簡単な説明】
【００２９】
【図１Ａ】本発明に係る剃刀の前面図であり、この剃刀はトリミング用ブレードヘッドと剃刀の柄とを備える。
【図１Ｂ】別の実施形態による剃刀の前面図であり、この剃刀はトリミング用ブレードヘッドと剃刀の柄とを備える。
【図１Ｃ】また別の実施形態による剃刀の前面図であり、この剃刀はトリミング用ブレードシステム、毛剃りヘッド、及び剃刀の柄を備える。
【図２Ａ】図１Ａの剃刀の部分下面図である。
【図２Ｂ】図１Ｂの剃刀の部分下面図である。
【図３Ａ】図１Ａのトリミング用ブレードヘッドの分解斜視図である。
【図３Ｂ】図１Ｂのトリミング用ブレードヘッドの分解斜視図である。
【図３Ｃ】また別の実施形態によるトリミング用ブレードヘッドの分解斜視図である。
【図４Ａ】図１Ａのトリミング用ブレードヘッドの線ＩＶＡ−ＩＶＡに沿った長手方向部分断面図である。
【図４Ｂ】図１Ｂのトリミング用ブレードヘッドの線ＩＶＢ−ＩＶＢに沿った長手方向部分断面図である。
【図５Ａ】図４Ａのトリミング用ブレードヘッドの詳細な断面図である。
【図５Ｂ】図４Ｂのトリミング用ブレードヘッドの詳細な断面図である。
【図６Ａ】図１Ａのトリミング用ブレードヘッドのカバープレートの下面図である。
【図６Ｂ】図１Ｂのトリミング用ブレードヘッドのカバープレートの下面図である。
【図７Ａ】図１Ａのトリミング用ブレードヘッドの線ＶＩＩＡ−ＶＩＩＡに沿った横方向断面図である。
【図７Ｂ】図１Ｂのトリミング用ブレードヘッドの線ＶＩＩＢ−ＶＩＩＢに沿った横方向断面図である。
【図７Ｃ】図７Ａのトリミング用ブレードヘッドの詳細なＶＩＩＣの部分図である。
【図７Ｄ】図７Ｂのトリミング用ブレードヘッドの詳細なＶＩＩＤの部分図である。
【図８Ａ】図１Ａのトリミング用ブレードヘッドのカバープレートの下面部分斜視図である。
【図８Ｂ】図１Ｂのトリミング用ブレードヘッドのカバープレートの下面部分斜視図である。
【発明を実施するための形態】
【００３０】
様々な図において、同じ参照符号は同じ又は類似する要素を示す。
【００３１】
図面は、剃刀の柄１２及びトリミング用ブレードシステム１４を備える、本発明によるウェットタイプの剃刀１０を示す。
【００３２】
図１Ａ及び図１Ｂに最も良く示されるように、トリミング用ブレードシステム１４はトリミング用ブレードヘッド１４（又はヘッド部１４）上に設けられている。本発明によるこのトリミング用ブレードヘッド１４は、前部１４Ａと、この前部１４Ａに対向する後部１４Ｂと、を有する。
【００３３】
図１Ｃ及び図３Ｃは別の実施形態を図示し、そこではトリミング用ブレードシステム１４は、プロテクタ１４上に設けられており、このプロテクタ１４は毛剃りヘッド１３に取り付けることができる。その場合、使用者は、トリミング用ブレードシステム１４が毛剃りヘッド１３から取り外されたときに従来の方法で毛を剃ることができ、トリミング用ブレードシステム１４が毛剃りヘッド１３に取り付けられたときにトリムすることができる。例として、トリミング用ブレードシステム１４はブレードヘッド１３に摺動自在に取り付けることができる。また、トリミング用ブレードシステム１４はブレードヘッド１３上にスナップ式に取り付けることもできる。
【００３４】
以下の説明は、図１Ａ及び図１Ｂに示されるようなトリミング用ブレードヘッド１４に関して行われるが、図１Ｃ又は３Ｃに示されるようなプロテクタ上に設けられたトリミング用ブレードシステム１４にも当てはまる。
【００３５】
トリミング用ブレードヘッド１４は、少なくとも１つのブレード１６を備えるが、いくつかのブレードを設けることもできる。ブレード１６は、ヘッド１４の前部１４Ａに向かって前方に面する刃先１６Ａを有する。刃先１６Ａは好ましくは細長く、長手方向軸Ｘ−Ｘを画定する。
【００３６】
トリミング用ブレードヘッド１４は、歯部を設けられた櫛１８をさらに備える。歯部２０はヘッド１４の前部に向かって前方に突出する。歯部２０は先端１６に重なる（図１Ａ〜１Ｂ及び２Ａ〜２Ｂを参照）。
【００３７】
図３Ａ及び３Ｂの分解図から最もよくわかるように、トリミング用ブレードヘッド１４は支持プレート２２及びカバープレート２４を備える。
【００３８】
トリミング用ブレードシステムは、歯部２０を設けられた櫛１８をさらに有する。
【００３９】
櫛１８は、図１Ａ〜１Ｃ及び３Ａ〜３Ｂに示された実施形態に最もよく示されるように、カバープレート２４上に設けることができる。
【００４０】
また別の実施形態では、図３Ｃに示すように、櫛１８は支持プレート２２上に設けることができる。この説明は、櫛１８がカバープレート２４上に設けられている実施形態を参照して記載されているが、特定の実施形態に対して特定の説明がなされている場合は別として、当業者は、本発明のいずれの他の実施形態、特に、櫛１８が支持プレート２２上に設けられている実施形態にもまた、当てはまることを理解するに違いない。櫛１８が支持プレート２２上に設けられているこの実施形態は、毛剃りヘッド１３に取り付けることができるプロテクタ１４上に設けられたトリミング用ブレードシステム１４に関して開示され、図示されている（図３Ｃ参照）が、櫛が支持プレート上に設けられている実施形態では、トリミング用ブレードヘッド１４（又はヘッド部１４）上に設けられたトリミング用ブレードシステム１４もまた本発明に包含されていることを理解することができる。
【００４１】
実際、本発明は、トリミング用ブレードシステム上に設けられる櫛、トリミング用ブレードヘッド（又はヘッド部）上、及び／又は毛剃りヘッドに取り付けることができるプロテクタ上のいずれかに設けられる櫛に関している。それぞれの場合に、櫛はカバープレート及び／又は支持プレート上に設けることができる。
【００４２】
トリミング用ブレードヘッド１４の前部１４Ａ及び後部１４Ｂは、カバープレート２４の前部２４Ａ及び（前部２４Ａに対向する）後部２４Ｂに対応する。
【００４３】
図に示すように、ブレード１６は平坦とすることができる。ブレード１６は、ブレード１６と支持プレート２２との間に挟まれたスペーサ２６によって好ましくは支持される。トリミング用ブレードヘッド１４がいくつかのブレード（図示されず）に設けられている場合には、トリミング用ブレードヘッド１４はいくつかのスペーサを対応して設けられ、ブレード及びスペーサは交互に重ね合わされる。
【００４４】
さらに、ブレードは、湾曲させることができるブレード支持部によって支持させることができる。
【００４５】
図面に示したように、歯部２０のそれぞれは上面２０Ａ及び２つの側面２０Ｂ及び２０Ｃを有する。歯部２０のそれぞれの側面２０Ｂ及び２０Ｃは、好ましくは互いに平行に延びる。言い換えると、側面２０Ｂは、歯部２０の側面２０Ｃに平行である。また、すべての歯部２０の側面２０Ｂ及び側面２０Ｃは、互いに平行である。
【００４６】
さらに、歯部２０のそれぞれの側面２０Ｂ及び２０Ｃは、長手方向軸Ｘ−Ｘ（図１Ａ〜１Ｂ及び２Ａ〜２Ｂ参照）に対して横方向に延びることができる。実際、歯部２０のそれぞれの側面２０Ｂ及び２０Ｃは、横方向軸Ｙ−Ｙに沿って延びることができる。軸Ｙ−Ｙは斜めであってもよく、又は図１Ａ及び１Ｂに示されているように、歯部２０のそれぞれの面２０Ｂ及び２０Ｃが刃先１４Ａに対して垂直である場合には長手方向軸Ｘ−Ｘに対して垂直であってもよい。
【００４７】
図２Ａ〜２Ｂ並びに４Ａ及び４Ｂに見ることができるように、歯部２０のそれぞれは、下面２０Ｄを有する。歯部２０のそれぞれの下面２０Ｄは、図４Ａ〜４Ｂ、５Ａ〜５Ｂ、及び６Ａ〜６Ｂに最もよく見ることができるように、好ましくは平坦である。さらに、歯部２０のそれぞれの下面２０Ｄは、部分的にブレード１６に近接している。実際、ブレード１６は上面１６Ｂ及び（上面１６Ｂに対向する）下面１６Ｃを有する。櫛１８がカバープレート２４上に設けられ、図２Ａ〜２Ｂ及び４Ａ〜４Ｂに示されているような実施形態では歯部の下面２０Ｄはブレード１６の上面１６Ｂと接している。櫛１８が図３Ｃに示されるように支持平面２２上に設けられている実施形態では、歯部の下面２０Ｄは、ブレード１６の下面１６Ｃに接触するか、又は少なくともブレード１６の下面１６Ｃの前にある。
【００４８】
櫛１８のため、歯部２０はトリミング中に毛用のブレード１６に対する障害物を形成する。ブレード１６の使用可能な長さを増加させるため、歯部２０のそれぞれの下面２０Ｄは、対向する面取りされた面２０Ｅ及び２０Ｆによって、側面２０Ｂ〜２０Ｃにつながる。言い換えると、すべての条件が同じだとすると、歯部間に位置する実効面積を考慮して、本発明による歯部（図２Ａ及び２Ｂ参照）の実効面積Ａ１（すなわち、面取りされた面２０Ｄを設けられた）は、面取りされた面を設けられていない歯部の実効面積Ａ２（図１Ａ〜１Ｂに示された面積Ａ２に相当）より大きい。
【００４９】
図５Ａ〜５Ｂを参照すると、歯部２０のそれぞれの下面２０Ｄはそれぞれ、面取りされた面２０Ｅによって側面２０Ｂにつながり、歯部２０のそれぞれの下面２０Ｄは、面取りされた面２０Ｆによって側面２０Ｃにつながる。したがって、所定のブレードの長さに対して、刃先１６の使用可能な長さは、歯部が面取りされていない櫛を有する同じブレードに対して増加する。本発明によって、ブレードの使用可能な長さを増加させるために、歯の数を増加させる必要がない。本発明によって、ブレードの刃先の前にある使用可能な空間が増加し、したがって、１つの単一ストローク中に切断される毛の数を増加させることができる。
【００５０】
歯部の寸法は、以下のように規定することができる。
‐Ｗ２０ＢＣ：１つの歯部の側面２０Ｂと２０Ｃとの間の１つの歯部の（長手方向軸Ｘ−Ｘに沿った）幅
‐Ｗ２０ＣＢ：２つの隣り合う歯部間の、１つの歯の対応する側面２０Ｃと、この歯部に隣り合う歯部の対応する側面２０Ｂと、の間の間隔
‐Ｗ２０Ｄ：下面２０Ｄの幅に対応する最も小さな幅で測定された、１つの歯部の（長手方向軸Ｘ−Ｘに沿った）面取りされた面２０Ｅと、２０Ｆと、の間の１つの歯部の幅
【００５１】
本発明によれば、歯部は、１ｍｍ〜５ｍｍとすることができる値を有する間隔Ｗ２０ＣＢによって互いから離間する。
【００５２】
さらに、歯部は、１ｍｍ〜４ｍｍとすることができる値を有する幅Ｗ２０ＢＣを有する。
【００５３】
歯部の数は、好ましくは１０〜２０である。
【００５４】
例として、３５．０ｍｍの長さ及び１．３７ｍｍに等しい幅Ｗ２０ＢＣの１３の歯部を有する刃先に対して、刃先の使用可能な長さは、歯部に面取りされた面が設けられない場合には約１７．１ｍｍであり、一方で歯部が面取りされ、幅Ｗ２０Ｄが約０．６８ｍｍまで縮小されている場合には約２６．２ｍｍに等しい。このように、所定のブレードの長さに対する歯部のこれら寸法によって、刃先１６の使用可能な長さは約５３％までだけ増加する。
【００５５】
図に示されているように、面取りされた面２０Ｅ及び２０Ｆは対向させることができ、歯部は対称であり、言い換えると、縮小した幅Ｗ２０Ｄは、２つの同一な値ｌ２０Ｅとｌ２０Ｆと（図５Ａ及び５Ｂ参照）の引き算によって得られる。歯部は非対称とすることができ、その場合には、ｌ２０Ｅの値はｌ２０Ｆの値とは異なる。
【００５６】
いずれにしても、ブレードの使用可能な長さの増加は、歯部の数によって増したｌ２０Ｅ及びｌ２０Ｆの付加に対応する。
【００５７】
さらに、歯部は１ｍｍ〜１５ｍｍとすることができる値を有する長さＬ２０を有する。図１Ａ〜８Ａに示された例では、歯部の長さＬ２０は約２ｍｍであり、一方で図１Ｂ〜８Ｂに示された例では約１ｍｍである。
【００５８】
櫛１８がカバープレート２４上に設けられるときには、歯部の上面２０Ａがトリミング平面Ｐ２０を画定する。実際、歯部のそれぞれの上面２０Ａは好ましくは平坦であり、すべての歯部の上面２０Ａは同一平面上にある。さらに、ブレード平面Ｐ１６Ａを規定することができ、ブレード１６は略平坦であり（図３Ａ及び３Ｂ参照）、平面内に延び、より正確には、ブレード１６の面１６Ｂ及び１６Ｃの両方が平行である２つの平面内にあり、刃先１６Ａは、面１６Ｂ及び１６Ｃを含む両方の面に平行である前記ブレード平面Ｐ１６Ａ内にあり、ブレード平面Ｐ１６Ａもまた、（図７Ａ及び７Ｂにみられるように）トリミング平面Ｐ２０に平行である。
【００５９】
図７Ａ〜７Ｂに示すように、歯部２０は階段状として、後方に向かって方向づけられた肩部２８を形成することができ、この肩部２８に対して刃先１６Ａが配置される。歯部は、ヘッド１４の前部１４Ａに向かって前方に延びる肘部を画定する。
【００６０】
言い換えると、それぞれの歯部は重なり（ｂａｃｋ  ｏｎ  ｉｔｓｅｌｆ）、それぞれの歯部２０の上面２０Ａが下面２０Ｄに向かって、かつ刃先１６Ａに向かって内側に折り重なる（ｆｏｌｄｅｄ）。肘部の近傍では、歯部２０のそれぞれの下面２０Ｄは互いに面し合い、特に互いに接触している。
【００６１】
さらに、歯部２０は肩部２８に向かって先細とすることができる。ブレード１６の近傍では、肘部３０の近傍におけるのと同様に、側面２０Ｂ及び２０Ｃは互いに平行である。しかし、肩部２８はこれら側面２０Ｂ及び２０Ｃに、斜面２０Ｇ及び２０Ｈを介して接続されている。側面２０Ｂ及び２０Ｃが、先細状に肩部２８につながるという事実は、毛が詰まる可能性を減少させ、実際、不必要な毛を、刃先と肩部との間に設けられたギャップの中に捕捉する。斜面２０Ｇ及び２０Ｈによって、このギャップは縮小される。
【００６２】
斜面又は面取りされた面２０Ｅ、Ｆ、Ｇ、Ｈは、作用する切断領域を増加させ、ブレード先端の接触を増加させるように設けられる。刃先１６Ａがそれに対して配置される肩部は、図７Ｄに詳細に示されているような歯部２０のそれぞれの対応する下面２０Ｄに直接至る唯一の直線的面とするか、図７Ｄに詳細に示されているような２つの直線的な部分とすることができる。より具体的には、肩部２８は、上述の場合には、さらなる肩部面取り面２８Ｂを画定する、第１の面２８Ａ及び、面２８Ａ及び２０Ｄの両方に横断方向の斜面２８Ｂを有する。面取り面２８Ｂは、ブレード端部１６Ａと、肩部２８と、の間に存在することができるギャップ２９を閉止する（すなわち、実質的に減少させる）ことによってのみ、詰まりの軽減に重点的に取り組む。
【００６３】
図１Ａ〜１Ｂに示したように、剃刀の柄１２に接続するために、トリミング用ブレードヘッドには、接続手段３２が設けられる。これら接続手段３２は、枢動軸（図示せず）に沿ったトリミング用ブレードヘッドの剃刀の柄１２に対する枢動を可能にすることができる。枢動軸は長手方向軸Ｘ−Ｘと平行とすることができる。トリミング用ブレードヘッド１４は、剃刀の柄１２に枢動可能に接続され、接続手段３２は軸受胴３２を備えることができる。
【００６４】
（図示されない）固定及び解放機構を、トリミング用ブレードヘッドを剃刀の柄に取り付けることができ、剃刀の柄から取り外すことができるように、設けることができる。
【００６５】
カバープレート２４のような支持プレート２２は、多くの材料、好ましくはプラスティック、例えばＡＢＳのような熱可塑性のプラスティックを備えることができる。いくつかの場合には、金属製のカバープレートを有して、正確性を改善し、より良いものを達成することが望ましい。櫛１８及びその歯部２０は、単一の要素を形成するために、好ましくはカバープレートと一体に作成される。
【符号の説明】
【００６６】
１４Ａ              前部
２２                支持プレート
１６                ブレード
２４                カバープレート
１４                トリミング用ブレードシステム
１６Ａ              刃先
２０                歯部
１８                櫛
２０Ａ              上面
２０Ｂ、２０Ｃ      側面
２０Ｄ              下面
２０Ｅ、２０Ｆ      面取りされた面
２８                肩部
２８Ｂ              肩部面取り部
３０                肘部
Ｘ−Ｘ              長手方向軸
Ｗ２０ＣＤ          間隔
Ｌ２０              長さ
Ｗ２０ＢＣ          幅
２６                スペーサ
Ｐ２０              トリミング平面
Ｐ１６Ａ            ブレード平面
１２                剃刀の柄
１３                毛剃りヘッド
３２                接続手段、軸受胴
【図１Ａ】
2019171112.tif 000003
【図１Ｂ】
2019171112.tif 000004
【図１Ｃ】
2019171112.tif 000005
【図２Ａ】
2019171112.tif 000006
【図２Ｂ】
2019171112.tif 000007
【図３Ａ】
2019171112.tif 000008
【図３Ｂ】
2019171112.tif 000009
【図３Ｃ】
2019171112.tif 000010
【図４Ａ】
2019171112.tif 000011
【図４Ｂ】
2019171112.tif 000012
【図５Ａ】
2019171112.tif 000013
【図５Ｂ】
2019171112.tif 000014
【図６Ａ】
2019171112.tif 000015
【図６Ｂ】
2019171112.tif 000016
【図７Ａ】
2019171112.tif 000017
【図７Ｂ】
2019171112.tif 000018
【図７Ｃ】
2019171112.tif 000019
【図７Ｄ】
2019171112.tif 000020
【図８Ａ】
2019171112.tif 000021
【図８Ｂ】
2019171112.tif 000022
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
前部（１４Ａ）を有するとともに、支持プレート（２２）、ブレード（１６）、及びカバープレート（２４）を備えるトリミング用ブレードシステムであって、前記ブレード（１６）は、前記トリミング用ブレードシステム（１４）の前記前部（１４Ａ）に向かって前方に面する刃先（１６Ａ）を有し、前記トリミング用ブレードシステムは、歯部（２０）を設けられた櫛（１８）を有し、前記歯部（２０）は前記トリミング用ブレードシステム（１４）の前記前部（１４Ａ）に向かって前方に突出し、かつ前記刃先（１６Ａ）に重なり、前記歯部（２０）のそれぞれは上面（２０Ａ）、２つの側面（２０Ｂ、２０Ｃ）、及び下面（２０Ｄ）を有するトリミング用ブレードシステムにおいて、
前記歯部（２０）のそれぞれの前記下面（２０Ｄ）は、対向する面取りされた面（２０Ｅ、２０Ｆ）によって、前記側面（２０Ｂ、２０Ｃ）につながり、
前記面取りされた面（２０Ｅ、２０Ｆ）が前記刃先（１６）の前方に形成され、２つの隣接する歯部（２０）の間の前記刃先（１６）の使用可能な長さが、一つの歯部の対応する面取りされた面（２０Ｅ）と一つの前記歯部に隣接する歯部の対応する面取りされた面（２０Ｆ）との間の２つの隣接する歯部の間の間隔と等しいことを特徴とする、トリミング用ブレードシステム。
【請求項２】
前部（１４Ａ）を有するとともに、支持プレート（２２）、ブレード（１６）、及びカバープレート（２４）を備えるトリミング用ブレードシステムであって、前記ブレード（１６）は、前記トリミング用ブレードシステム（１４）の前記前部（１４Ａ）に向かって前方に面する刃先（１６Ａ）を有し、前記トリミング用ブレードシステムは、歯部（２０）を設けられた櫛（１８）を有し、前記歯部（２０）は前記トリミング用ブレードシステム（１４）の前記前部（１４Ａ）に向かって前方に突出し、かつ前記刃先（１６Ａ）に重なる、トリミング用ブレードシステムにおいて、
前記歯部（２０）のそれぞれは、前記刃先（１６Ａ）がそれに対して配置される後方に方向づけられた肩部（２８）を形成するように階段状とされ、前記肩部（２８）のそれぞれには、第１の面（２８Ａ）と下面（２０Ｄ）の両方に横断する、前記第１の面（２８Ａ）と斜面（２８Ｂ）とが設けられ、前記斜面（２８Ｂ）が肩部面取り部（２８Ｂ）を画定していることを特徴とする、トリミング用ブレードシステム。
【請求項３】
前記歯部（２０）は、前記刃先（１６Ａ）がそれに対して配置される後方に方向づけられた肩部（２８）を形成するように階段状とされていることを特徴とする請求項１に記載のトリミング用ブレードシステム。
【請求項４】
前記肩部（２８）のそれぞれには、肩部面取り部（２８Ｂ）が設けられていることを特徴とする請求項３に記載のトリミング用ブレードシステム。
【請求項５】
前記歯部（２０）のそれぞれは、前記肩部（２８）に向かって先細とされていることを特徴とする請求項２〜４のいずれか一項に記載のトリミング用ブレードシステム。
【請求項６】
前記歯部（２０）のそれぞれは、前記トリミング用ブレードシステム（１４）の前記前部（１４Ａ）に向かって前方に延在する肘部（３０）を画定することを特徴とする請求項１〜５のいずれか一項に記載のトリミング用ブレードシステム。
【請求項７】
前記歯部（２０）のそれぞれの前記下面（２０Ｄ）は平坦であり、前記歯部（２０）のそれぞれの前記下面（２０Ｄ）は前記ブレード（１６）に部分的に隣接していることを特徴とする請求項１〜６のいずれか一項に記載のトリミング用ブレードシステム。
【請求項８】
２つの隣接する歯部（２０）の間の前記刃先（１６）の使用可能な前記長さが、一つの歯部の対応する面取りされた面（２０Ｅ）と一つの前記歯部に隣接する歯部の対応する面取りされた面（２０Ｆ）との間の２つの隣接する歯部の間の最大の間隔と等しいことを特徴とする請求項１〜７のいずれか一項に記載のトリミング用ブレードシステム。
【請求項９】
前記歯部（２０）のそれぞれの前記側面（２０Ｂ、２０Ｃ）は、たがいに平行に延びることを特徴とする請求項１〜８のいずれか一項に記載のトリミング用ブレードシステム。
【請求項１０】
前記刃先（１６Ａ）は細長であるとともに長手方向軸（Ｘ−Ｘ）を画定し、
前記歯部（２０）のそれぞれの前記側面（２０Ｂ、２０Ｃ）は互いに平行に延びるとともに、前記長手方向軸（Ｘ−Ｘ）に対して横方向に延びることを特徴とする請求項１〜９のいずれか一項に記載のトリミング用ブレードシステム。
【請求項１１】
前記刃先（１６Ａ）は細長であるとともに長手方向軸（Ｘ−Ｘ）を画定し、
前記歯部（２０）のそれぞれの前記側面（２０Ｂ、２０Ｃ）は互いに平行に延びるとともに、前記長手方向軸（Ｘ−Ｘ）に対して垂直に延びることを特徴とする請求項１〜１０のいずれか一項に記載のトリミング用ブレードシステム。
【請求項１２】
前記歯部（２０）は、１ｍｍ〜５ｍｍの値を有する間隔（Ｗ２０ＣＢ）によって互いから離間していることを特徴とする請求項１〜１１のいずれか一項に記載のトリミング用ブレードシステム。
【請求項１３】
前記歯部（２０）のそれぞれは、１ｍｍ〜１５ｍｍの値を有する長さ（Ｌ２０）を有することを特徴とする請求項１〜１２のいずれか一項に記載のトリミング用ブレードシステム。
【請求項１４】
前記歯部（２０）のそれぞれは、１ｍｍ〜４ｍｍの値を有する幅（Ｗ２０ＢＣ）を有することを特徴とする請求項１〜１３のいずれか一項に記載のトリミング用ブレードシステム。
【請求項１５】
前記歯部（２０）の数は、１０〜２０であることを特徴とする請求項１〜１４のいずれか一項に記載のトリミング用ブレードシステム。
【請求項１６】
前記ブレード（１６）と、前記支持プレート（２２）と、の間に挟まれたスペーサ（２６）をさらに備えることを特徴とする請求項１〜１５のいずれか一項に記載のトリミング用ブレードシステム。
【請求項１７】
前記櫛（１８）は、前記カバープレート（２４）上に設けられることを特徴とする請求項１〜１６のいずれか一項に記載のトリミング用ブレードシステム。
【請求項１８】
前記櫛（１８）は、前記支持プレート（２２）上に設けられるとともに、Ｘに沿って交差する方向へ前記刃先（１６Ａ）よりも遠くまで延び、前記ブレードは前記カバープレート（２４）によって覆われることを特徴とする請求項１〜１６のいずれか一項に記載のトリミング用ブレードシステム。
【請求項１９】
前記歯部（２０）の前記上面（２０Ａ）がトリミング平面（Ｐ２０）を画定し、
前記刃先（１６Ａ）は、前記トリミング平面（Ｐ２０）に平行なブレード平面（Ｐ１６Ａ）内にあることを特徴とする請求項１７及び請求項１〜１８のいずれかに記載のトリミング用ブレードシステム。
【請求項２０】
剃刀の柄（１２）及び請求項１〜１９のいずれか一項に記載のトリミング用ブレードシステム（１４）を備える剃刀であって、
前記トリミング用ブレードシステム（１４）には、前記トリミング用ブレードシステム（１４）を前記剃刀の柄（１２）に接続するための接続手段（３２）が設けられていることを特徴とする剃刀。
【請求項２１】
剃刀の柄（１２）、毛剃りヘッド（１３）、及び請求項１〜１９のいずれか一項に記載のトリミング用ブレードシステム（１４）を備える剃刀であって、
前記毛剃りヘッド（１３）には、前記毛剃りヘッド（１３）を前記剃刀の柄（１２）に接続するための接続手段（３２）が設けられていることを特徴とする剃刀。
【請求項２２】
前記接続手段が軸受胴（３２）を備えることを特徴とする請求項２０又は２１に記載の剃刀。
【外国語明細書】
2019171112000001.pdf